(57)【要約】  【課題】自動製氷機を備えた冷蔵庫において、製氷皿の捻り動作時の電源の電流量を抑える。  【解決手段】冷媒の流れを制御する電磁弁８と、自動製氷機１１と、ファン１、３、５と、これら各モータを制御する制御装置１４とを備え、前記電磁弁と前記自動製氷機は同時に駆動させないとともに、電磁弁または自動製氷機の動作時には、電磁弁または自動製氷機の動作前より駆動中の前記ファンは駆動し続け、電磁弁または自動製氷機の動作中は動作終了まで新たなファンの起動を遅延することにより、これらの動作中にファンの起動電流が流れることがなく、電源の電流量を抑えることができるともに、動作中のファンを停止させることがない。【選択図】図３
2006078055.tif 000002
【特許請求の範囲】
【請求項１】
冷媒の流れを制御する電磁弁と、ファンと、これら各モータを制御する制御装置とを備え、前記電磁弁の動作時には、電磁弁の動作前より駆動中の前記ファンは駆動し続け、電磁弁の動作中は動作終了まで新たなファンの起動を遅延することを特徴とする冷蔵庫。
【請求項２】
自動製氷機と、ファンと、これら各モータを制御する制御装置とを備え、前記自動製氷機の動作時には、自動製氷機の動作前より駆動中の前記ファンは駆動し続け、自動製氷機の動作中は動作終了まで新たなファンの起動を遅延することを特徴とする冷蔵庫。
【請求項３】
冷媒の流れを制御する電磁弁と、自動製氷機と、ファンと、これら各モータを制御する制御装置とを備え、前記電磁弁と前記自動製氷機は同時に駆動させないとともに、電磁弁または自動製氷機の動作時には、電磁弁または自動製氷機の動作前より駆動中の前記ファンは駆動し続け、電磁弁または自動製氷機の動作中は動作終了まで新たなファンの起動を遅延することを特徴とする冷蔵庫。
【請求項４】
複数個のファンを備え、ファンの同時起動を抑制する請求項１から３のいずれか一項に記載の冷蔵庫。
【発明の詳細な説明】
【技術分野】
【０００１】
本発明は、電磁弁や自動製氷機を有する冷蔵庫に関するものである。
【背景技術】
【０００２】
従来この種の冷蔵庫においては自動製氷機の動作中にファンを停止させる制御方法が提案されている（例えば、特許文献１参照）。
【０００３】
図４は特許文献１に記載された従来の冷蔵庫の制御装置の電気回路図を示すものである。図４に示すように、マイクロコンピュータ１４と、庫内ファンモータ駆動回路３１と庫内ファンモータ３２とコンデンシングファンモータ駆動回路３３とコンデンシングファンモータ３４とモータドライバー３５と製氷皿モータ（製氷機）３６と電流検知回路３７より構成されている。
【０００４】
以上のように構成された冷蔵庫の制御装置について、以下その動作を説明する。
【０００５】
マイクロコンピュータ１４は電流検知回路３７より電流値を受け取り、製氷皿が捻り方向に回転中に、回転から１秒後の電流値を電流値Ａとし、電流値Ａに一定の偏差Ｃを加えた値を電流値Ｂとして、現在の電流値が電流値Ｂより高くなると、製氷皿が捻り動作に入ったと判断して、庫内ファンモータ３２およびコンデンシングファンモータ３４を停止する。マイクロコンピュータ１４が脱氷を判断したときは庫内ファンモータ３２およびコンデンシングファンモータ３４の停止を解除する。
【特許文献１】特開平１０−２５９９７４号公報
【発明の開示】
【発明が解決しようとする課題】
【０００６】
しかしながら、上記従来の構成では、製氷動作をする度にファンが停止され、ファンの寿命に影響を及ぼすとともに、電流検出手段をはじめとする製氷皿が捻り動作を始めたかを検知する手段が必要であり、コストアップの要因となるという課題を有していた。
【０００７】
本発明は上記従来の課題を解決するもので、ファンの大きな起動電流に対応させるための電源部の電流容量増加を抑えて小型化、低コスト化を図りつつ、冷却性能の低下、ファンの寿命低下を抑制した冷蔵庫を提供することを目的とする。
【課題を解決するための手段】
【０００８】
上記従来の課題を解決するために、本発明の冷蔵庫は、冷媒の流れを制御する電磁弁と、ファンと、これら各モータを制御する制御装置とを備え、前記電磁弁の動作時には、電磁弁の動作前より駆動中の前記ファンは駆動し続け、電磁弁の動作中は動作終了まで新たなファンの起動を遅延するとしたものである。
【０００９】
これによって、使用する電流量が大きい電磁弁が動作中に、ファンの起動電流が流れることがなく、電源の電流量を抑えることができるともに、動作中のファンを停止させることがない。
【００１０】
また、本発明の冷蔵庫は、自動製氷機と、ファンと、これら各モータを制御する制御装置とを備え、前記自動製氷機の動作時には、自動製氷機の動作前より駆動中の前記ファンは駆動し続け、自動製氷機の動作中は動作終了まで新たなファンの起動を遅延するとしたものである。
【００１１】
これによって、使用する電流量が大きい自動製氷機が動作中に、ファンの起動電流が流れることがなく、電源の電流量を抑えることができるともに、動作中のファンを停止させることがない。
【００１２】
また、本発明の冷蔵庫は、冷媒の流れを制御する電磁弁と、自動製氷機と、ファンと、これら各モータを制御する制御装置とを備え、前記電磁弁と前記自動製氷機は同時に駆動させないとともに、電磁弁または自動製氷機の動作時には、電磁弁または自動製氷機の動作前より駆動中の前記ファンは駆動し続け、電磁弁または自動製氷機の動作中は動作終了まで新たなファンの起動を遅延するとしたものである。
【００１３】
これによって、使用する電流量が大きい電磁弁、自動製氷機が同時に駆動することがなく、またこれらの動作中にファンの起動電流が流れることがなく、電源の電流量を抑えることができるともに、動作中のファンを停止させることがない。
【００１４】
また、本発明の冷蔵庫は、複数個のファンを備え、ファンの同時起動を抑制するとしたものである。
【００１５】
これによって、複数のファンの起動電流が同時に流れることがなく、電源の電流量を抑えることができる。
【発明の効果】
【００１６】
本発明の冷蔵庫は、電源部の電流容量増加を抑えて小型化、低コスト化を図りつつ、ファンの停止による冷却性能の低下を防ぎ、駆動・停止を繰り返すことによるファンの寿命低下を抑えることができる。
【発明を実施するための最良の形態】
【００１７】
請求項１に記載の発明は、冷媒の流れを制御する電磁弁と、ファンと、これら各モータを制御する制御装置とを備え、前記電磁弁の動作時には、電磁弁の動作前より駆動中の前記ファンは駆動し続け、電磁弁の動作中は動作終了まで新たなファンの起動を遅延することにより、使用する電流量が大きい電磁弁が動作中に、ファンの起動電流が流れることがなく、電源の電流量を抑えることができるとともに、動作中のファンを停止させることがないため、電源部の電流容量増加を抑えて小型化、低コスト化を図りつつ、ファンの停止による冷却性能の低下を防ぎ、駆動・停止を繰り返すことによるファンの寿命低下を抑えることができる。
【００１８】
請求項２に記載の発明は、自動製氷機と、ファンと、これら各モータを制御する制御装置とを備え、前記自動製氷機の動作時には、自動製氷機の動作前より駆動中の前記ファンは駆動し続け、自動製氷機の動作中は動作終了まで新たなファンの起動を遅延することにより、使用する電流量が大きい自動製氷機が動作中に、ファンの起動電流が流れることがなく、電源の電流量を抑えることができるともに、動作中のファンを停止させることがないため、電源部の電流容量増加を抑えて小型化、低コスト化を図りつつ、ファンの停止による冷却性能の低下を防ぎ、駆動・停止を繰り返すことによるファンの寿命低下を抑えることができる。
【００１９】
請求項３に記載の発明は、冷媒の流れを制御する電磁弁と、自動製氷機と、ファンと、これら各モータを制御する制御装置とを備え、前記電磁弁と前記自動製氷機は同時に駆動させないとともに、電磁弁または自動製氷機の動作時には、電磁弁または自動製氷機の動作前より駆動中の前記ファンは駆動し続け、電磁弁または自動製氷機の動作中は動作終了まで新たなファンの起動を遅延することにより、使用する電流量が大きい電磁弁、自動製氷機が同時に駆動することがなく、またこれらの動作中にファンの起動電流が流れることがなく、電源の電流量を抑えることができるともに、動作中のファンを停止させることがないため、電源部の電流容量増加を抑えて小型化、低コスト化を図りつつ、ファンの停止による冷却性能の低下を防ぎ、駆動・停止を繰り返すことによるファンの寿命低下を抑えることができる。
【００２０】
請求項４に記載の発明は、請求項１から３のいずれか一項に記載の発明において、複数個のファンを備え、ファンの同時起動を抑制することにより、複数のファンの起動電流が同時に流れることがなく、電源の電流量を抑えることができ、電源部の電流容量増加を抑えて小型化、低コスト化を図ることができる。
【００２１】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００２２】
（実施の形態１）
図１は、本発明の実施の形態１における冷蔵庫の断面図である。冷蔵室ファン１は冷蔵室２内の冷気を循環させる。冷凍室ファン３は冷凍室４内の冷気を循環させる。コンプレッサファン５は機械室６に設置されたコンプレッサ７やコンデンサ（図示せず）を空冷する。電磁弁８は冷蔵室冷却器９と冷凍室冷却器１０への冷媒の流れを制御する。自動製氷機１１は、製氷皿１２を捻り、離氷動作を行う。温度センサ１３は冷蔵庫各部の温度を制御装置に検知させる。
【００２３】
図２は、本発明の実施の形態１における冷蔵庫の制御装置のブロック図である。
【００２４】
図２において、制御装置１４内のマイクロコンピュータ１５は、温度検出手段１３より冷蔵庫各部の温度を取得し、各ファン１，３，５、電磁弁８、自動製氷機１１に駆動指令を出す。電磁弁８と自動製氷機１１は使用する電流量が大きいため、同時に駆動することがないようにマイクロコンピュータ１４にプログラミングされている。冷蔵室ファン１は冷蔵室ファン駆動回路１６により駆動される。冷凍室ファン３は冷凍室ファン駆動回路１７により駆動される。コンプレッサファン５はコンプレッサファン駆動回路１８により駆動される。電磁弁８は電磁弁駆動回路１９により駆動される。自動製氷機１１は自動製氷機駆動回路２０により駆動される。
【００２５】
図３は、本発明の実施の形態１における冷蔵庫のファン起動に関するフローチャートである。
【００２６】
以上のように構成された冷蔵庫について、以下、図２と図３を用いて動作、作用を説明する。
【００２７】
温度検出手段１３の温度信号よりマイクロコンピュータ１５が新たなファン（例えば冷蔵室ファン１）の起動が必要と判断すると、まず電磁弁８が動作中かを判断する（ステップ１０１）。電磁弁８が動作中であれば先頭（ステップ１００）へ戻り、冷蔵室ファン１の起動を電磁弁動作終了まで遅延する。
【００２８】
電磁弁８が動作中でなければ次に自動製氷機１１が動作中かを判断する（ステップ１０２）。自動製氷機１１が動作中であれば先頭（ステップ１００）へ戻り、冷蔵室ファン１の起動を自動製氷機動作終了まで遅延する。
【００２９】
自動製氷機１１が動作中でなければ次に他のファン（冷凍室ファン３およびコンプレッサファン５）が起動してからある一定時間Ｔ秒（例えば３秒）を経過したかを判断する（ステップ１０３）。冷凍室ファン３またはコンプレッサファン５が起動してＴ秒以内であれば先頭（ステップ１００）へ戻り、冷蔵室ファン１の起動をＴ秒後まで遅延する。
【００３０】
冷凍室ファン３およびコンプレッサファン５が起動してからＴ秒以上経過しておれば、冷蔵室ファン駆動回路１５に駆動信号を送り、冷蔵室ファン１の起動を行う（ステップ１０４）。
【００３１】
以上のように、本実施の形態では、電磁弁８と自動製氷機１１は同時に駆動させないとともに、電磁弁８または自動製氷機１１の動作時には、電磁弁８または自動製氷機１１の動作前より駆動中のファンは駆動し続け、電磁弁８または自動製氷機１１の動作中は動作終了まで新たなファンの起動を遅延することにより、使用する電流量が大きい電磁弁８、自動製氷機１１が同時に駆動することがなく、またこれらの動作中にファンの起動電流が流れることがなく、電源の電流量を抑えることができるともに、動作中のファンを停止させることがないため、電源部の電流容量増加を抑えて小型化、低コスト化を図りつつ、ファンの停止による冷却性能の低下を防ぎ、駆動・停止を繰り返すことによるファンの寿命低下を抑えることができる。
【産業上の利用可能性】
【００３２】
以上のように、本発明にかかる冷蔵庫は、電源部の電流容量増加を抑えて小型化、低コスト化を図りつつ、ファンの停止による冷却性能の低下を防ぎ、駆動・停止を繰り返すことによるファンの寿命低下を抑えることが可能となるので、使用電流量の多いが動作時間の短い負荷と、ファンを有する機器において、電源の小型化、低コスト化とファンの長寿命化を図りたい用途に適用できる。
【図面の簡単な説明】
【００３３】
【図１】本発明による実施の形態１の冷蔵庫の断面図
【図２】同実施の形態の冷蔵庫の制御装置のブロック図
【図３】同実施の形態の冷蔵庫のファン起動に関するフローチャート
【図４】従来の冷蔵庫の制御装置の電気回路図
【符号の説明】
【００３４】
１    冷蔵室ファンモータ
３    冷凍室ファンモータ
５    コンプレッサファンモータ
８    電磁弁
１１  自動製氷機
１４  制御装置
【図１】
2006078055.tif 000003
【図２】
2006078055.tif 000004
【図３】
2006078055.tif 000005
【図４】
2006078055.tif 000006